(57)【要約】【課題】  水虫の患部を一日２４時間等の長時間に渡り乾燥状態にしておくことを可能とする包帯を提供する。【解決手段】  高分子吸水ポリマーを不織物や吸水紙等の紙および綿状パルプ等の繊維素材に配合させ、これらを重ね合わせた上でこより状に形成し強度をつけた紐状の包帯を作成する。またこれをさらに複数本組み合わせて縄状に形成することで吸水性と強度を増した縄状の包帯を作成する。これらの紐状の包帯や縄状の包帯を構成要素として編みこんだ平面的なまたは立体的な包帯を作成する。これらの包帯を患部の状態に応じて巻きつけたり当てたりすることで、患部を長時間乾燥させ、かつ外れたり破れたりしない、強度に優れた包帯を提供することができる。また、当包帯には他の殺菌効果特性を持つ物質や薬を貼付・付着させることができることから、総体として、水虫のみならず、他の皮膚疾患等を始めとする疾病、怪我、手術等の処置のための皮膚の乾燥および殺菌等の治療を目的とする包帯を提供することができる。【選択図】図７
2008264479.tif 000002
【特許請求の範囲】
【請求項１】
皮膚疾患等の患部を乾燥させることによって治癒の促進を図る、高分子吸水ポリマー等の吸水性物質を配合した、不織物や吸水紙等の紙や綿状パルプ等の繊維素材を紐状に形成した患部乾燥用の包帯。
【請求項２】
請求項１の紐状の包帯を構成要素として縄状に形成した患部乾燥用の包帯。
【請求項３】
請求項１の紐状の包帯や請求項２の縄状の包帯を構成要素として平面的にまたは立体的に編みこんで形成した患部乾燥用の包帯。
【請求項４】
請求項１の紐状の包帯、および請求項２の縄状の包帯、および請求項３の平面的なおよび立体的な包帯のそれぞれ対して、それらの吸水性効果に加えて、治療効果や殺菌効果等の効果をも付与させる目的で治療効果のある物質や殺菌性のある物質を含ませた、患部乾燥用および治療用の包帯。
【発明の詳細な説明】
【技術分野】
【０００１】    本発明は、水虫等の皮膚疾患の患部を乾燥させることによって治癒の促進を図る、高分子吸水ポリマー等の吸水性物質を配合した、不織物や吸水紙等の紙や綿状パルプ等の繊維素材を紐状または縄状にこより形成した患部乾燥用の包帯と、またこれらを構成要素として平面的にまたは立体的に形成した患部乾燥用の包帯に関する発明であり、一般的には皮膚疾患の治療のために給せられるべき包帯等の衛生用品に関する発明である。また、より広い範囲としては、他の病気や怪我および外科処置の治療等で患部の吸水または乾燥をすべき際において、患部の広さや形状に応じた広さや形状を取ることで効果的な乾燥状態を実現し治療に寄与するための包帯等の衛生用品に関する発明である。
【背景技術】
【０００２】  水虫に悩む人にとって、足の指とその指の間を如何にして乾燥状態に保つかは永年の大きな課題であった。近年、高分子吸水ポリマー等の吸水性の高い高分子化合物の生産により、乳幼児用のおむつや女性の生理用品等への使用が広がっているが、一方でこの吸水性物資を水虫等の皮膚疾患のために効果的に用いる例は未だない。本発明ではこの高分子吸水ポリマーの粉末または粒子を多数配合した、吸水紙等の紙や綿状パルプ等の繊維素材を、紐状にこより形成した包帯、またはこれらを組み合わせて縄状に形成した包帯を患部に巻きつけることで、さらに、この紐状や縄状の包帯を構成要素として平面的にまたは立体的に構成させた包帯を作成し患部にあてることで効果的に乾燥状態を保つことができるとするものである。
【発明の開示】
【発明が解決しようとする課題】
【０００３】  ある一定の吸水性の物質、例として吸水紙、綿状パルプ等を乾燥が必要な患部に包帯として巻く場合、例えば密閉性の高い革靴等を履いて働いている労働者の水虫等の皮膚疾患の患部を一日中乾燥状態にすることは難しい。そこで、たとえば高分子吸水ポリマーのような高い吸水性のある物質を配合した吸水紙もしくは綿状パルプ等を使用した場合でも、歩行等の活動によって、一日の早い段階で、足指の乾燥すべき患部から包帯が外れたり、破れたりすることで、この課題、すなわち一日中効果的に乾燥状態を保つことを完全に実現することは難しい。【０００４】  本発明の目的は、高分子吸水ポリマーのような高い吸水性を持つ物質を用いて、一日中、かつ歩行や駆け足等の活発な活動によっても足指の乾燥すべき患部から包帯が外れたり、破れたりすることのないようにして、患部の乾燥状態を効果的に保つ方法とその用品を提供することである。
【課題を解決するための手段】
【０００５】  上記の目的を達成するために、本発明では、高分子吸水ポリマー等の吸水性の高い高分子化合物の粉末または粒子の多数を吸水紙等の紙や綿状パルプ等の繊維素材に配合し、これをこよることで、すなわちひねって紐にすることで紐状の包帯を作成し、またこの紐状の包帯を組み合わせて絡ませて縄状の包帯を作成することで、強度と高分子吸水ポリマーの密度を増した包帯を得て、これらの包帯それ自身を患部に巻きつけるという簡単な方法で効果を得るものである。また、この包帯の構成要素の工夫として、吸水紙等の紙や綿状パルプ等の繊維素材を包むように外側に不織物を配置することで通水性や通気性を確保し、かつより強度を高めた紐状の包帯および縄状の包帯を提供することができる。【０００６】  また、この紐状の包帯や縄状の包帯を構成要素として編みこみ平面的な包帯を作成することで、より広い面積を持った患部に対しても効果的に乾燥状態を保つことができる包帯を提供することができる。さらにこの平面的な包帯を紐状や縄状の包帯と組み合わせて編みこみ立体的な包帯を作成することで、複雑な形状をもった皮膚疾患に対しても効果的に乾燥状態を保つことができる包帯を提供することができる。【０００７】  紐状の包帯や縄状の包帯を構成要素として平面的または立体的な包帯を構成する場合、適度な長さに短くまたは長く切った紐状の包帯や縄状の包帯を合成ゴム等のエラスティック繊維糸などにて相互に結び合わせることで平面的なまたは立体的な包帯を作成することも可能であり、この場合、包帯全体として適度な伸縮性を持つため、より広範囲に、よりしっかりと患部に適用することができる包帯を提供することができる。【０００８】  また、当包帯には、対象とする疾患の治療のための薬や、殺菌性のある物質、例として皮膚疾患治療用等の薬、檜エキス、檜のこぎりくずや粉末等の物質も含ませることができるため、例えば不織物にそれらを配合することや、吸水紙や綿状パルプにそれらを配合することにより、乾燥のみでなく殺菌や治療を目的とする包帯を提供することもできる。
【発明の効果】
【０００９】  高分子吸水ポリマーの粉末または粒子を配合した、紐状または縄状に構成された包帯であることから、一般的な綿状パルプやコットン等でできた吸水を目的とする包帯よりも高い吸水効果と強度を発揮することができ、水虫等の患部を長時間、例として一日中乾燥状態に保つことが可能となる。【００１０】  さらに、包帯が紐状や縄状であることから、患部への処置は包帯自身を患部に単に巻きつけるだけという簡単な方法でよく、これによって歩行や駆け足等の日常生活的な活動によっても足指の乾燥すべき患部から包帯が外れたり、破れたりすることがない。この包帯を巻きつけるときの端の部分の始末は、端の部分を巻き入れて収めるだけでもよいし、端同士を結ぶとか医療用粘着テープで止めるという簡単な方法でも外れない。【００１１】  前述のように、本発明の紐状および縄状の包帯は適度な強度特性を持つことから、平面的なまたは立体的な包帯を構成することが可能である。一例でいうと、紐状の包帯や縄状の包帯を構成要素として、形状として草鞋（わらじ）状の構成状態を作成することで、足裏部分では平面的な包帯を実現することとなり、また足の指から甲にかけて立体的な包帯を実現することができるということになる。この包帯は適度な強度を持つことから長時間の使用に耐えて包帯自身の形状を保持することができ、かつ、網状またはメッシュ状であることから患部が空気に触れる面を継続的に確保することができ、しかも適度なマッサージ効果を持つことから、患部の長時間の乾燥と血行の促進の効果を期待できる。使用例としては、水虫以外に床ずれ等を原因とする背中等の皮膚疾患に対しても、乾燥、空気接触、マッサージの各効果から患部の治療を促進することができる。
【発明を実施するための最良の形態】
【００１２】  図１は、吸水紙１と、高分子吸水ポリマーを含む綿状パルプ２の構成例を表す。ここで、幅は約１〜２センチメートル程であり、長さは例として６０センチメートル程であるが、素材の厚みおよび幅と長さは適度に調整することができる。また、図２は、図１の構成の外側に不織物３（不織布ともいう）を配置した構成例を表す。また、図３は、図２と同様の素材を用いているが構成の方法が異なる状態を表す。また、図４は、不織物３と吸水紙１、および高分子吸水ポリマーを含む綿状パルプ２をらせん状に巻く構成例を表す。また、図５は、図１から図４のいずれかの構成のもとに作成した素材としての紐４を表す。この紐４の構成要素としては前述のとおりであるが、これらを固く密着させたものであり、この紐４をもとに包帯を作成するものである。また、図６は、紐４をこより状に形成することで強度を増加させた紐状の包帯５を表す。また、図７は、紐状の包帯５を用いて作成した縄状の包帯６を表す。また、図８の（１）と（２）は、紐状の包帯５または縄状の包帯６を足の水虫患部へ巻いて手当てした状態を表す。また、図９は、紐状の包帯５や縄状の包帯６を編み込んで作成した平面的な包帯７と、それを足の水虫患部へ手当てした状態を表す。また、図１０は、紐状の包帯５や縄状の包帯６および平面的な包帯７を用いて編み込んで作成した立体的な包帯８と、それを足の水虫患部へ手当てした状態を表す。また、図１１の（１）と（２）は、紐状の包帯５や縄状の包帯６の長さを短く調整した構成要素を伸縮性のあるエラスティック繊維糸で結んだ包帯９と、それを足の水虫患部へ手当てした状態を表す。【００１３】  素材としては、高分子吸水ポリマーの粉末または粒子、不織物、吸水紙等の紙、および綿状パルプ等の繊維素材を組み合わせて用いるが、繊維素材については合成繊維を含む他の素材（布やガーゼ等）や、形成のために使用する繊維として糸や合成ゴム等の繊維素材も組み合わせることができる。一例として、図１に示すように、細長い形状の吸水紙１を２枚、綿状パルプ２を１枚用意し、高分子吸水ポリマー粒子を綿状パルプ２に多数配合し、これを両側から吸水紙１にて挟み密着させた素材としての紐４を作成する。また、図２は図１に対しさらに補強と通水性および通気性のため不織物３を付与している。また、図３や図４に示すように、同様の素材を用いた異なる構成方法で、素材としての紐４を作成することもできる。この素材の紐４をこより状にひねることで紐状の包帯５を作成する。さらに紐状の包帯を２本〜３本程度用い縄に形成することで縄状の包帯６を得る。この紐状の包帯５または縄状の包帯６を例えば長さ６０センチメートル程度を一本として水虫の足指患部に適度の回数巻きつける。このとき普通程度かまたは適度に強く調整して巻きつけるが、いくらか強めに巻いたとしても素材が柔らかいものであるため、また水分を吸って柔らかくなるため、違和感はほとんどなく、また程よく強く巻くことで歩くたびにマッサージ効果が得られる。巻く回数は１足指あたり１回から数回程度であり患部の状態により調整する。また、紐状の包帯５であるが、その断面は上記のこよる方法では丸型であるが、その他の形状として、こよる方法をとらないで合��繊維糸等の繊維素材による強度補強を行う方法で平たい楕円形等の様々な形態の紐状の包帯５を形成しこれを使用することもできる。【００１４】    紐状の包帯５や縄状の包帯６を構成要素として平面的な包帯７を構成することとは、すなわち、縄を素材として平面的な莚（むしろ）を構成するのと同様である。皮膚疾患患部に適用する場合は、患部の大きさと同等かより広い面積をもつ網状、またはメッシュ状の包帯７を作成する。また、紐状の包帯５や縄状の包帯６および平面状の包帯７を構成要素として立体的な包帯８を構成することとは、すなわち、縄や莚（むしろ）を素材として俵（たわら）のようなものを作成するのと同様である。また、立体的な皮膚疾患患部に適用する場合は、患部の大きさと形状とに適した大きさと立体形状を持つようにこれらの構成要素を編みこんで立体的な包帯８を作成するが、この場合も包帯７と同様に網状、またはメッシュ状の包帯とすることができる。【００１５】  その他の例としては、適度な長さに短くまたは長く切った紐状の包帯や縄状の包帯を合成ゴム等のエラスティック繊維糸などにて相互に結び合わせることで、適度な伸縮性を持たせた平面的なまたは立体的な包帯９を構成することができる。
【実施例】
【００１６】  本発明の包帯を水虫の足指に巻いたり当てたりすることで患部を乾燥させ治療促進を図ることができる。その他の例としては床ずれ等の皮膚疾患の治療にも適用でき、またその他の病気や怪我の治療における、または外科手術等の施術後の出血患部の治療における、乾燥と治療促進の効果を目的とする使用がある。
【産業上の利用可能性】
【００１７】  単に高分子吸水ポリマーを繊維素材に配合させるというだけでなく、これを紐状および縄状として構成し強度を増していることから、さらに平面的にまた立体的に形成していることから、これらを素材として他の分野への利用が可能である。医療的な側面では獣医科分野での使用が期待できるが、他の諸産業分野でも、吸水性を持ち、かつ空気の流通を程よく確保し、適度な強度を保持した素材として、例えば食に関する産業における食材の保存用包装等として活用が期待できる等、応用の範囲は広い。
【図面の簡単な説明】
【００１８】
【図１】本発明の構成例を表した説明図である。
【図２】本発明の他の構成例であり、図１の構成に不織物を追加した説明図である。
【図３】本発明の他の構成例であり、図２の構成の応用的な構成例の説明図である。
【図４】本発明の他の構成例であり、図３の構成の発展的な構成例の説明図である。
【図５】本発明の構成例をもとに作成した、素材としての紐の説明図である。
【図６】本発明の紐状の包帯の説明図である。
【図７】本発明の縄状の包帯の説明図である。
【図８】本発明の紐状の包帯と縄状の包帯を水虫患部へ手当てした状態の説明図である。
【図９】本発明の平面的な包帯を水虫患部へ手当てした状態の説明図である。
【図１０】本発明の立体的な包帯を水虫患部へ手当てした状態の説明図である。
【図１１】本発明の、伸縮性のある繊維糸で組み合わせた包帯と、それを水虫患部へ手当てした状態の説明図である。
【符号の説明】
【００１９】１  吸水紙
２  高分子吸水ポリマーの粉末または粒子を配合した綿状パルプ
３  不織物
４  素材の紐
５  紐状の包帯
６  縄状の包帯
７  平面状の包帯
８  立体状の包帯
９  伸縮性のある繊維糸を用いて作成した包帯
【図１】
2008264479.tif 000003
【図２】
2008264479.tif 000004
【図３】
2008264479.tif 000005
【図４】
2008264479.tif 000006
【図５】
2008264479.tif 000007
【図６】
2008264479.tif 000008
【図７】
2008264479.tif 000009
【図８】
2008264479.tif 000010
【図９】
2008264479.tif 000011
【図１０】
2008264479.tif 000012
【図１１】
2008264479.tif 000013